(57)【特許請求の範囲】
【請求項１】
画像処理装置本体に回転自在に設けられた給紙ローラと、この給紙ローラの下方に位置されて前記画像処理装置本体に形成された給紙口に引出自在に装着されるカセットケースと、このカセットケースの底部に当該カセットケースの奥側を支点として当該カセットケースの手前側に位置する自由端が起伏自在に保持されて多数の紙葉を載置する底板と、前記カセットケースの手前側の両側で支軸を中心に端部が昇降自在に保持されて当該端部が前記カセットケースの奥側に向けられた昇降部材と、前記昇降部材の端部と前記底板の自由端側の両側との間に張設された引張スプリングと、前記昇降部材を摺動自在に案内する案内面が前記給紙口の奥の方向に向かうに従い次第に上方に傾斜されて給紙方向下流側の両側に固定的に設けられたガイドとを具備し、前記カセットケースを前記給紙口の奥の方向に挿入する挿入過程で、前記昇降部材の端部が前記ガイドの案内面に支えられて上昇することで、前記底板の自由端側の両側が前記引張スプリングの力で引き上げられるようにしたことを特徴とする給紙装置。
【発明の詳細な説明】
【０００１】
【産業上の利用分野】
本発明は、紙葉に画像を記録し、或いは紙葉に記録された画像を読み取る画像処理装置に利用される給紙装置に関する。
【０００２】
【従来の技術】
まず、図３を参照して従来の給紙装置について説明する。１は画像処理装置本体である。この画像処理装置本体１には給紙ローラ２が回転自在に設けられているとともに、この給紙ローラ２の下方に位置する給紙口３が形成されている。この給紙口３に引出自在に装着されるカセットケース４の底部には、多数の紙葉（図示せず）を載置する底板５の一端が支軸６により起伏自在に保持されている。また、カセットケース４の底部に形成された凹部７には、底板５を上方に付勢してその底板５上の紙葉を給紙ローラ２に圧接する圧縮スプリング８が保持されている。
【０００３】
次に、図４の他の従来例を示す。この例は、図３における圧縮スプリング８に代えて、上昇用アーム９を支軸１０により上下回動自在に保持したもので、他の構造は図３に示したものと同様である。
【０００４】
【発明が解決しようとする課題】
図３に示すものは、底板５に多数の紙葉を載置したときに、圧縮スプリング８が最大に圧縮される。このためにカセットケース４の底部に凹部７を形成して圧縮スプリング８の撓みに自由度をもたせる必要がある。したがって、凹部７の高さｈに応じてカセットケース４の全高寸法が高くなり、ひいては画像処理装置本体１の高さが高くなる。
【０００５】
また、図４に示したものは、上昇用アーム９と、これを昇降させるための機構とをカセットケース４の下方に配置するスペースを確保する必要があり、そのスペースの高さｈに応じて画像処理装置本体１の高さが高くなる。しかも、カセットケース４の着脱操作により上昇用アーム９を昇降させる機構は、例えば特開平４−１９７９２９号公報等に記載されているように、複雑なリンク機構を必要とし、コストが高くなる。
【０００６】
【課題を解決するための手段】
本発明は、画像処理装置本体に回転自在に設けられた給紙ローラと、この給紙ローラの下方に位置されて前記画像処理装置本体に形成された給紙口に引出自在に装着されるカセットケースと、このカセットケースの底部に当該カセットケースの奥側を支点として当該カセットケースの手前側に位置する自由端が起伏自在に保持されて多数の紙葉を載置する底板と、前記カセットケースの手前側の両側で支軸を中心に端部が昇降自在に保持されて当該端部が前記カセットケースの奥側に向けられた昇降部材と、前記昇降部材の端部と前記底板の自由端側の両側との間に張設された引張スプリングと、前記昇降部材を摺動自在に案内する案内面が前記給紙口の奥の方向に向かうに従い次第に上方に傾斜されて給紙方向下流側の両側に固定的に設けられたガイドとを具備し、前記カセットケースを前記給紙口の奥の方向に挿入する挿入過程で、前記昇降部材の端部が前記ガイドの案内面に支えられて上昇することで、前記底板の自由端側の両側が前記引張スプリングの力で引き上げられるようにした。
【０００７】
【作用】
カセットケースを給紙口から引き出した状態では、昇降部材がガイドから解放されて自由に動き得るため、底板が倒伏状態に維持される。カセットケースを給紙口の奥に挿入する過程では、昇降部材がガイドの案内面に支えられて次第に上昇するため、引張スプリングの力により底板が上昇し紙葉を給紙ローラに圧接する。
【０００８】
【実施例】
本発明の一実施例を図１及び図２に基づいて説明する。図３及び図４において説明した部分と同一部分は同一符号を用い説明も省略する。画像処理装置本体１の給紙口３に引出自在に装着されるカセットケース４の端部には把手１１が形成され、この把手１１の内部空間１１ａを利用して昇降部材である昇降アーム１２が支軸１３を中心に昇降自在に保持されている。これらの昇降アーム１２は、底板５上の紙葉の搬送経路の両外側に配設されている。また、これらの昇降アーム１２は側方に突出するピン１４を有し、これらの昇降アーム１２のピン１４と底板５の自由端側の両側とには引張スプリング１５が張設されている。しかして、給紙口３の両側壁には、昇降アーム１２のピン１４を下から支える案内面１６を有するガイド１７が固定的に設けられている。これらのガイド１７の案内面１６は、給紙口３の奥に向かうに従い次第に上方に傾斜され、また、案内面１６の最下位の端部は、最も下降位置に位置する昇降アーム１２のピン１４よりも下方に位置するように定められている。
【０００９】
このような構成において、図１は、カセットケース４を給紙口３に挿入する過程或いは引き出す過程で、この状態では、昇降アーム１２のピン１４はガイド１７から解放される。したがって、カセットケース４を給紙口３から引き出した状態では、底板５を倒伏させてカセットケース４への紙葉の補給が容易となる。
【００１０】
また、図２は、カセットケース４を給紙口３の奥に挿入した状態で、この挿入過程では、昇降アーム１２のピン１４がガイド１７の案内面１６に支えられて次第に上方に変位するため、昇降アーム１２は引張スプリング１５を伸長させながら支軸１３を中心に上昇する。このため、引張スプリング１５の力により底板５が上昇し、その上に載置された最上層の紙葉が給紙ローラ２に圧接される。したがって、給紙ローラ２を駆動することにより、最上層の紙葉が図示しない画像処理部に給紙される。
【００１１】
また、昇降アーム１２は、底板５の下方以外のカセットケースの端部近傍に配置することができるため、カセットケース４の高さ及び画像処理装置本体１の高さを低くすることが可能である。しかも、昇降アーム１２をカセットケース４の把手１１の内部空間１１ａのデッドスペースを利用して支持することにより、カセットケース４の全長を抑えることも可能である。さらに、昇降アーム１２のピン１４をガイド１７の案内面１６に沿って摺動させるだけで昇降アーム１２を昇降させることができるため、底板５を押圧する構造を簡略化することができる。
【００１２】
【発明の効果】
本発明は、上述のように、カセットケースの手前側の両側に支軸を中心に回転し上昇することで引張スプリングの力により底板の自由端側の両側を引き上げる昇降部材を設け、この昇降部材を摺動自在に案内する案内面が給紙口の奥の方向に向かうに従い次第に上方に傾斜されたガイドを給紙口の両側に固定的に設けたので、カセットケースを給紙口から引き出した状態では、昇降部材がガイドから解放されて自由に動き得るため、底板を倒伏させてカセットケースへの紙葉の補給を容易にすることができ、また、カセットケースを給紙口の奥に挿入する過程では、昇降部材がガイドの案内面に支えられて次第に上昇するため、引張スプリングの力により底板を上昇させて紙葉を給紙ローラに圧接させることができ、さらに、昇降部材を、底板の下方以外のカセットケースの端部近傍に配置することができるため、カセットケースの高さ及び画像処理装置本体の高さを低くすることができ、さらに、昇降部材をガイドの案内面に沿って摺動させるだけで昇降部材を昇降させることができるため、底板を押圧する構造を簡略化することができる。
【図面の簡単な説明】
【図１】本発明の一実施例に係るもので、カセットケースを給紙口に装着又は引き出す過程を示す縦断側面図である。
【図２】カセットケースを給紙口の奥に装着した状態を示す縦断側面図である。
【図３】従来例を示す縦断側面図である。
【図４】他の従来例を示す縦断側面図である。
【符号の説明】
１      画像処理装置本体
２      給紙ローラ
３      給紙口
４      カセットケース
５      底板
１２    昇降部材
１３    支軸
１５    引張スプリング
１６    案内面
１７    ガイド
【図１】
0003609848.tif 000002
【図２】
0003609848.tif 000003
【図３】
0003609848.tif 000004
【図４】
0003609848.tif 000005